(57)【要約】【課題】リヤサイドカバーの変形や損傷の恐れをなくして自動耕深制御への悪影響を抑え、また構造簡易化及び構成部材の軽量化を図ることを課題とする。【解決手段】リヤサイドカバー１４は、サイドカバー１０の内側端よりも外側で、且つサイドカバー１０の外側端と略同一もしくは内側に配置した。【選択図】　　図１
2004016041.tif 000002
【特許請求の範囲】
【請求項１】
チェーンケースに内装されたチェーン伝動機構に連結されて回転するロータリ耕耘爪軸に耕耘爪を取付けて耕耘部を構成し、この耕耘部の上方を覆うメインカバーの両側部に固設したサイドカバーと、前記耕耘部の後方を覆うリヤカバーの両側部に設けたリヤサイドカバーとを備えたロータリ耕耘作業機のカバー構造において、前記リヤサイドカバーは、前記サイドカバーの内側端よりも外側で、且つ前記サイドカバーの外側端と略同一もしくは内側に配置したことを特徴とするロータリ耕耘作業機のカバー構造。
【請求項２】
前記サイドカバーの側面には、リブ機能を持つ凸形状部を形成したことを特徴とする請求項１記載のロータリ耕耘作業機のカバー構造。
【請求項３】
チェーンケースに内装されたチェーン伝動機構に連結されて回転するロータリ耕耘爪軸に耕耘爪を取付けて耕耘部を構成し、この耕耘部の上方を覆うメインカバーと、前記耕耘部の後方を覆うとともに前記メインカバーに対しヒンジを介して上下方向に揺動可能に支持されたリヤカバーと、このリヤカバーの上方への最大揺動位置を所定位置に規制する最上げ時ストッパとを備えたロータリ耕耘作業機のカバー構造において、前記最上げ時ストッパは、前記ヒンジの固定側と一体的に形成したことを特徴とするロータリ耕耘作業機のカバー構造。
【請求項４】
前記最上げ時ストッパは、前記リヤカバーの両側端部のうち少なくとも片側端部に当接して当該リヤカバーの最大揺動位置を所定位置に規制することを特徴とする請求項３記載のロータリ耕耘作業機のカバー構造。
【発明の詳細な説明】
【０００１】
【発明の属する技術分野】
本発明は、ロータリ耕耘作業機のカバー構造に関する。
【０００２】
【従来の技術】
従来のロータリ耕耘作業機のカバー構造としては、例えば、サイドドライブ式のロータリ耕耘作業機において、チェーンケースに内装されたチェーン伝動機構に連結されて回転するロータリ耕耘爪軸に耕耘爪を取付けて耕耘部を構成し、この耕耘部の上方を覆うメインカバーの両側部にサイドカバーを固設し、耕耘部の後方を覆うとともにメインカバーに対しヒンジを介して上下方向に揺動可能に支持したリヤカバーには、その両側部にリヤサイドカバーを固設し、進行方向前方から見てリヤサイドカバーは、サイドカバーの外側方になるように配置して、耕耘部の左右後側方からの土飛散の防止等を図るようにしたものがある。また、耕耘作業時にリヤカバーの跳ね上がりを所定位置に規制する最上げ時ストッパとして、専用のステーが設けられている。
【０００３】
【発明が解決しようとする課題】
従来は、リヤサイドカバーがサイドカバーの外側方に配置されていたため、作業時にリヤサイドカバーが畦等の障害物に接触して変形や損傷する恐れがあり、変形・損傷した場合は自動耕深制御に悪影響を及ぼすことになる。また、作業時にリヤカバーの跳ね上がりを所定位置に規制する最上げ時ストッパとして、専用のステーを必要としており、これらの必要部材に対する構造の簡易化が求められていた。さらに、リヤカバーは、跳ね上がり時にステーに当接した部分が変形・損傷する恐れがあった。
【０００４】
本発明は、上記に鑑みてなされたもので、リヤサイドカバーの変形や損傷の恐れをなくして、自動耕深制御への悪影響を抑えることができ、また構造簡易化及び構成部材の軽量化を図ることができるロータリ耕耘作業機のカバー構造を提供することを目的とする。
【０００５】
【課題を解決するための手段】
上記課題を解決するために、請求項１記載の発明は、チェーンケースに内装されたチェーン伝動機構に連結されて回転するロータリ耕耘爪軸に耕耘爪を取付けて耕耘部を構成し、この耕耘部の上方を覆うメインカバーの両側部に固設したサイドカバーと、前記耕耘部の後方を覆うリヤカバーの両側部に設けたリヤサイドカバーとを備えたロータリ耕耘作業機のカバー構造において、前記リヤサイドカバーは、前記サイドカバーの内側端よりも外側で、且つ前記サイドカバーの外側端と略同一もしくは内側に配置した。作業時にリヤサイドカバーが畔等の障害物に接触しにくくなり、変形や損傷する恐れがなくなる。
【０００６】
請求項２記載の発明は、前記サイドカバーの側面には、リブ機能を持つ凸形状部を形成した。サイドカバーは、全体的に肉厚を下げて軽量化しつつ高強度を保持することが可能となり、また、凸形状部は、作業時に後方のリヤサイドカバーのガードとして機能する。
【０００７】
請求項３記載の発明は、チェーンケースに内装されたチェーン伝動機構に連結されて回転するロータリ耕耘爪軸に耕耘爪を取付けて耕耘部を構成し、この耕耘部の上方を覆うメインカバーと、前記耕耘部の後方を覆うとともに前記メインカバーに対しヒンジを介して上下方向に揺動可能に支持されたリヤカバーと、このリヤカバーの上方への最大揺動位置を所定位置に規制する最上げ時ストッパとを備えたロータリ耕耘作業機のカバー構造において、前記最上げ時ストッパは、前記ヒンジの固定側と一体的に形成した。リヤカバーは、作業時の跳ね上がり時にヒンジ固定側と一体化した最上げ時ストッパに干渉して、跳ね上がりが所定位置に規制される。
【０００８】
請求項４記載の発明は、前記最上げ時ストッパは、前記リヤカバーの両側端部のうち少なくとも片側端部に当接して当該リヤカバーの最大揺動位置を所定位置に規制する。リヤカバーは、側端部の強度の高い部分で、跳ね上がりが所定位置に規制される。
【０００９】
【発明の実施の形態】
以下、本発明の実施の形態を図１乃至図６を参照して説明する。本実施の形態は、サイドドライブ式のロータリ耕耘作業機に適用されている。まず、図１乃至図３を用いて、ロータリ耕耘作業機のサイドカバー構造を説明する。ロータリ耕耘作業機は、後述する図４中に示す連結機構２０でトラクタの後部に連結され、そのトラクタのＰＴＯ軸（動力取出し軸）からの動力が、ベベルギヤボックス１の部分に設けられた入力軸２に伝動されるようになっている。
【００１０】
ベベルギヤボックス１内にはベベルギヤ群が設けられ、ベベルギヤボックス１のケーシングは左右方向（図の紙面に垂直方向）に延び、ケーシングの一端側にチェーンケース４が取付けられ、他端側には図示省略のサイドフレームが取付けられている。チェーンケース４の下部とサイドフレームの下部との間に、それぞれ軸受を介してロータリ耕耘爪軸５が回動自在に軸架されている。
【００１１】
チェーンケース４には、入力スプロケット、チェーン及び出力スプロケット等からなるチェーン伝動機構が内装され、その入力スプロケットはベベルギヤ群のギヤ出力を伝動する伝動軸３に固定され、出力スプロケットはロータリ耕耘爪軸５に連係する出力スプロケット軸に固定されている。
【００１２】
このようにして、ロータリ耕耘爪軸５は、トラクタのＰＴＯ軸からの動力により、入力軸２、ベベルギヤ群、伝動軸３及びチェーン伝動機構等を介して回転駆動されるようになっている。そして、このロータリ耕耘爪軸５に、複数の耕耘爪６が放射状に取り付けられて耕耘部７が構成されている。
【００１３】
耕耘部７の直上方には、この耕耘部７の上方を覆うメインカバー８が設けられている。メインカバー８は、両側板部８ａの部分でチェーンケース４の内側及びサイドフレームに、それぞれボルト９締結により固定され、この両側板部８ａにサイドカバー１０がボルト１１締結により固設されている。
【００１４】
サイドカバー１０は、図３に示すように、その側面にリブ機能を持つ凸形状部１０ａが形成されて全体的に肉厚を下げて軽量化しつつ高強度が保持されるようになっている。メインカバー８の後方には、耕耘部７の後方を覆うリヤカバー１２が、ヒンジ１３により上下方向に揺動可能に取付けられている。
【００１５】
ヒンジ１３部近傍には、耕耘作業時にリヤカバー１２の跳ね上がりを所定位置に規制するステー１７が設けられている。リヤカバー１２の先端部近傍の両側には、リヤサイドカバー１４がボルト１５締結により固定され、リヤカバー１２の先端側には、耕耘作業後の圃場面を整地する整地板１６が取付けられている。
【００１６】
サイドカバー１０の後端側とリヤサイドカバー１４の前端側とは、側面視で重畳して耕耘部７左右後側方からの土飛散をより良く防止するようになっており、さらに図２に示すように、リヤサイドカバー１４は、サイドカバー１０の内側端１０ｂよりも外側で、且つサイドカバー１０の外側端（凸形状部１０ａの略頂面）と略同一もしくは内側に配置されている。
【００１７】
上述したロータリ耕耘作業機のサイドカバー構造によれば、リヤサイドカバー１４を、サイドカバー１０の内側端１０ｂよりも外側で、且つサイドカバー１０の外側端と略同一もしくは内側に配置したので、作業時にリヤサイドカバー１４が畔等の障害物に接触しにくくなって変形・損傷の恐れがなくなり、自動耕深制御への悪影響を抑えることができる。
【００１８】
また、サイドカバー１０の側面には、リブ機能を持つ凸形状部１０ａを形成したので、サイドカバー１０は、軽量化しつつ高強度を保持することができ、さらに凸形状部１０ａ自身がガードになって、リヤサイドカバー１４の変形・損傷に対する保護機能が増し、自動耕深制御への悪影響を、一層抑えることができる。
【００１９】
図４及び図５には、リヤカバーの最上げ時ストッパの改良構造を示す。前記図１では、耕耘作業時にリヤカバー１２の跳ね上がりを所定位置に規制する最上げ時ストッパとして専用のステー１７が設けられている。
【００２０】
これに対し、図４の改良構造では、最上げ時ストッパ２１がヒンジ１３の固定側と一体的に形成されている。リヤカバー１２には、機体側との間に加圧スプリング２２が取付けられて、その先端側に設けられた整地板１６に対し、常時、圃場面に対する加圧傾向が与えられている。
【００２１】
最上げ時ストッパ２１は、耕耘作業時の圃場面からの整地板１６跳ね上がり、即ち、リヤカバー１２の跳ね上がりを、そのリヤカバー１２の左右両側端部のうち少なくとも片側端部に当接して所定位置に規制する（図５）。機体上方には、ロータリ耕耘作業機をトラクタの後部に連結するための連結機構２０が設けられている。
【００２２】
上述したリヤカバーの最上げ時ストッパの改良構造によれば、最上げ時ストッパ２１を、ヒンジ固定側と一体的に形成したので、ストッパ用の専用ステーが不要となり、ストッパ構造を簡易化することができる。また、最上げ時ストッパ２１は、リヤカバー１２の左右両側端部のうち少なくとも片側端部に当接してリヤカバー１２の最大跳ね上がりを所定位置に規制するので、リヤカバー１２は、側端部の強度の高い部分で跳ね上がりが所定位置に規制されて、変形・損傷を抑えることができる。
【００２３】
図６には、耕深制御（オート）ワイヤ取付け位置の改良構成を示す。従来は、図７に示すように、オートワイヤ２５は、作業位置においてロアリンク２６よりも下側に位置していた。このような構成では、タバコの残幹等や作物残渣により、オートワイヤ２５が損傷し、耕深制御に悪影響を及ぼす恐れがある。
【００２４】
これに対し、図６の改良構成では、オートワイヤ２５の取付け部が後輪センターより後方にあるロータリ耕耘作業機において、トラクタ側オートワイヤの取付け部をトップリンクヒンジ２７付近でオートワイヤ２５を縦向きとすることにより、作業姿勢におけるオートワイヤ２５の垂れ下がり位置をロアリンク２６より下がらない位置関係とすることが可能となる。
【００２５】
上述したオートワイヤ取付け位置の改良構成によれば、作業時において、オートワイヤ２５がタバコの残幹等や作物残渣による損傷を受けにくく、耕深制御への悪影響を防止することができる。
【００２６】
【発明の効果】
以上説明したように、請求項１記載の発明によれば、リヤサイドカバーは、サイドカバーの内側端よりも外側で、且つサイドカバーの外側端と略同一もしくは内側に配置したので、作業時にリヤサイドカバーが障害物に接触しにくくなって変形・損傷の恐れがなくなり、自動耕深制御への悪影響を抑えることができる。
【００２７】
請求項２記載の発明によれば、サイドカバーの側面には、リブ機能を持つ凸形状部を形成したので、サイドカバーは、軽量化しつつ高強度を保持することができ、また、作業時に凸形状部が後方のリヤサイドカバーのガードになってリヤサイドカバーの変形・損傷に対する保護機能が増し、自動耕深制御への悪影響を、一層抑えることができる。
【００２８】
請求項３記載の発明によれば、リヤカバーの上方への最大揺動位置を所定位置に規制する最上げ時ストッパを、ヒンジ固定側と一体的に形成したので、ストッパ用の専用ステーが不要となり、ストッパ構造を簡易化することができる。
【００２９】
請求項４記載の発明によれば、最上げ時ストッパは、リヤカバーの両側端部のうち少なくとも片側端部に当接して当該リヤカバーの最大揺動位置を所定位置に規制するようにしたので、リヤカバーは、側端部の強度の高い部分で、跳ね上がりが所定位置に規制されて、変形・損傷を抑えることができる。
【図面の簡単な説明】
【図１】本発明の実施の形態であるロータリ耕耘作業機のカバー構造の側面図。
【図２】図１におけるサイドカバーとリヤサイドカバーの配置関係を示す平面図。
【図３】図１におけるサイドカバーの平面図及び側面図。
【図４】本発明の実施の形態においてリヤカバーの最上げ時ストッパの改良構造を示す側面図。
【図５】図４の最上げ時ストッパによるリヤカバーの規制状態を示す拡大側面図。
【図６】本発明の実施の形態において耕深制御ワイヤ取付け位置の改良構成を示す側面図。
【図７】従来の耕深制御ワイヤ取付け位置を示す側面図。
【符号の説明】
４　チェーンケース
５　ロータリ耕耘爪軸
６　耕耘爪
７　耕耘部
８　メインカバー
１０　サイドカバー
１０ａ　凸形状部
１２　リヤカバー
１３　ヒンジ
１４　リヤサイドカバー
２１　最上げ時ストッパ
【図１】
2004016041.tif 000003
【図２】
2004016041.tif 000004
【図３】
2004016041.tif 000005
【図４】
2004016041.tif 000006
【図５】
2004016041.tif 000007
【図６】
2004016041.tif 000008
【図７】
2004016041.tif 000009